(57)【要約】  本発明は、アダプタテスト装置１００、方法及びコンピューター記憶媒体を提供する。アダプタテスト装置１００は、テストモジュール１０１、ホストコンピュータ１０３及び電子負荷１０２を含む。テストモジュール１０１は、電子負荷１０２に接続されており、電子装置の作動状態を模擬して、作動状態に対応する模擬バッテリ電圧値を獲得するために用いられる。テストモジュール１０１は、被テストアダプタ１０４に接続されており、模擬バッテリ電圧値に基づいて、被テストアダプタ１０４が目標出力状態にあるように制御するために用いられる。テストモジュール１０１は、ホストコンピュータ１０３に接続されており、被テストアダプタ１０４の目標出力状態を検出し、且つ検出された被テストアダプタ１０４の出力情報をホストコンピュータ１０３に送信するために用いられる。ホストコンピュータ１０３は、被テストアダプタ１０４の出力情報に基づいて、被テストアダプタ１０４のテスト結果を出力するために用いられる。
2021529320.tif 000002
【特許請求の範囲】
【請求項１】
アダプタテスト装置であって、
テストモジュール、ホストコンピュータ及び電子負荷を含み、
前記テストモジュールは、前記電子負荷に接続されており、電子装置の作動状態を模擬して、前記作動状態に対応する模擬バッテリ電圧値を獲得するために用いられ、
前記テストモジュールは、被テストアダプタに接続されており、前記模擬バッテリ電圧値に基づいて、前記被テストアダプタが目標出力状態にあるように制御するために用いられ、
前記テストモジュールは、前記ホストコンピュータに接続されており、前記被テストアダプタの目標出力状態を検出し、且つ検出された前記被テストアダプタの出力情報を前記ホストコンピュータに送信するために用いられ、
前記ホストコンピュータは、前記被テストアダプタの出力情報に基づいて、前記被テストアダプタのテスト結果を出力するために用いられる、
ことを特徴とするアダプタテスト装置。
【請求項２】
前記電子負荷は電圧調整機能を有し且つ負荷調整命令を受信するために用いられ、前記負荷調整命令及び前記テストモジュールに基づいて前記電子装置の異なる作動状態を模擬し、作動状態と模擬バッテリ電圧値の間に対応関係がある、
ことを特徴とする請求項１に記載のアダプタテスト装置。
【請求項３】
前記テストモジュールは、さらに前記模擬バッテリ電圧値を前記ホストコンピュータに送信するために用いられ、
前記ホストコンピュータは、さらに前記模擬バッテリ電圧値に基づいて制御命令を出力し且つ前記制御命令を前記テストモジュールに送信するために用いられ、
前記テストモジュールは、前記制御命令に基づいて前記被テストアダプタが目標出力状態にあるように制御するために用いられる、
ことを特徴とする請求項１に記載のアダプタテスト装置。
【請求項４】
前記テストモジュールは、具体的には、前記模擬バッテリ電圧値が第一プリセット閾値より大きい場合、前記制御命令に基づいて、前記被テストアダプタが定電圧モードにあるように制御するために用いられる、
ことを特徴とする請求項３に記載のアダプタテスト装置。
【請求項５】
前記テストモジュールは、具体的には、前記模擬バッテリ電圧値が第二プリセット閾値より小さい場合、前記制御命令に基づいて、前記被テストアダプタが低電圧保護モードにあるように制御するために用いられる、
ことを特徴とする請求項３に記載のアダプタテスト装置。
【請求項６】
前記被テストアダプタの出力情報は、前記被テストアダプタの出力電圧及び前記被テストアダプタの出力電流を含む、
ことを特徴とする請求項１に記載のアダプタテスト装置。
【請求項７】
前記定電圧モードでは、前記被テストアダプタの出力電圧は定格出力電圧範囲内に維持され、前記模擬バッテリ電圧値が増加すると、前記被テストアダプタの出力電流は減少される、
ことを特徴とする請求項６に記載のアダプタテスト装置。
【請求項８】
前記低電圧保護モードでは、前記被テストアダプタは出力を切断して出力電圧を有しないか、又は前記被テストアダプタは出力電圧なしのプリセット期間の後に再び出力電圧を有する、
ことを特徴とする請求項６に記載のアダプタテスト装置。
【請求項９】
前記ホストコンピュータは、具体的には、前記被テストアダプタの出力情報と前記被テストアダプタの目標出力情報を比較し、比較結果に基づいて、前記被テストアダプタのテスト結果を出力するために用いられ、
前記被テストアダプタの目標出力情報と前記被テストアダプタの目標出力状態との間に対応関係が存在する、
ことを特徴とする請求項１に記載のアダプタテスト装置。
【請求項１０】
前記テストモジュールは、テストボードと、前記テストボードに電力を供給する外部電源と、を含む、
ことを特徴とする請求項１〜９のいずれか一項に記載のアダプタテスト装置。
【請求項１１】
テストボードであって、
前記テストボードは、少なくとも金属酸化物半導体電界効果トランジスタ（ＭＯＳＦＥＴ）部材及びマイクロコントローラユニット（ＭＣＵ）部材を含み、
前記テストボードは、電子負荷と協同して、電子装置の作動状態を模擬して、被テストアダプタをテストするために用いられる、
ことを特徴とするテストボード。
【請求項１２】
アダプタテストシステムであって、
被テストアダプタと、請求項１〜１０のいずれか一項に記載のアダプタテスト装置と、を含み、前記アダプタテスト装置は、前記被テストアダプタをテストするために用いれる、
ことを特徴とするアダプタテストシステム。
【請求項１３】
アダプタテスト方法であって、
前記アダプタテスト方法は、テストモジュール、ホストコンピュータ及び電子負荷を含むアダプタテスト装置に適用可能であり、前記アダプタテスト方法は、
前記テストモジュール及び前記電子負荷によって電子装置の作動状態を模擬して、前記作動状態に対応する模擬バッテリ電圧値を獲得するステップと、
前記模擬バッテリ電圧値に基づいて、前記被テストアダプタが目標出力状態にあるように制御するステップと、
前記被テストアダプタの目標出力状態を検出し、且つ検出された前記被テストアダプタの出力情報を獲得するステップと、
前記被テストアダプタの出力情報に基づいて、前記被テストアダプタのテスト結果を出力するステップと、
を含む、
ことを特徴とするアダプタテスト方法。
【請求項１４】
前記テストモジュール及び前記電子負荷によって電子装置の作動状態を模擬して、前記作動状態に対応する模擬バッテリ電圧値を獲得することは、
前記電子負荷によって負荷調整命令を受信し、前記負荷調整命令及び前記テストモジュールに基づいて電子装置の異なる作動状態を模擬し、前記電子負荷は電圧調整機能を有し、作動状態と模擬バッテリ電圧値の間に対応関係があること、
模擬された作動状態に基づいて、前記作動状態に対応する模擬バッテリ電圧値を獲得すること、
を含む、
ことを特徴とする請求項１３に記載のアダプタテスト方法。
【請求項１５】
前記模擬バッテリ電圧値に基づいて、前記被テストアダプタが目標出力状態にあるように制御することは、
前記テストモジュールと前記ホストコンピュータの接続を介して、前記テストモジュールは前記模擬バッテリ電圧値を前記ホストコンピュータに送信すること、
前記ホストコンピュータは前記模擬バッテリ電圧値に基づいて制御命令を出力すること、
前記制御命令に基づいて前記被テストアダプタが目標出力状態にあるように制御すること、
を含む、
ことを特徴とする請求項１３に記載のアダプタテスト方法。
【請求項１６】
前記制御命令に基づいて前記被テストアダプタが目標出力状態にあるように制御することは、
前記模擬バッテリ電圧値が第一プリセット閾値より大きい場合、前記制御命令に基づいて、前記被テストアダプタが定電圧モードにあるように制御すること、を含む、
ことを特徴とする請求項１５に記載のアダプタテスト方法。
【請求項１７】
前記制御命令に基づいて前記被テストアダプタが目標出力状態にあるように制御することは、
前記模擬バッテリ電圧値が第二プリセット閾値より小さい場合、前記制御命令に基づいて、前記被テストアダプタが低電圧保護モードにあるように制御すること、を含む、
ことを特徴とする請求項１５に記載のアダプタテスト方法。
【請求項１８】
前記被テストアダプタの出力情報は、前記被テストアダプタの出力電圧及び前記被テストアダプタの出力電流を含む、
ことを特徴とする請求項１３に記載のアダプタテスト方法。
【請求項１９】
前記制御命令に基づいて前記被テストアダプタが目標出力状態にあるように制御することは、
前記模擬バッテリ電圧値が第一プリセット閾値より大きい場合、前記制御命令に基づいて、前記被テストアダプタの出力電圧が定格出力電圧範囲内に維持されるように制御し、且つ前記模擬バッテリ電圧値が上昇すると、前記被テストアダプタの出力電流は減少されること、を含む、
ことを特徴とする請求項１８に記載のアダプタテスト方法。
【請求項２０】
前記制御命令に基づいて前記被テストアダプタが目標出力状態にあるように制御することは、
前記模擬バッテリ電圧値が第二プリセット閾値より小さい場合、前記制御命令に基づいて前記被テストアダプタが出力をオフして出力電圧を有しないように制御するか、又は前記制御命令に基づいて前記被テストアダプタが出力電圧なしのプリセット期間の後に再び出力電圧を有するように制御すること、を含む、
ことを特徴とする請求項１８に記載のアダプタテスト方法。
【請求項２１】
前記被テストアダプタの出力情報に基づいて、前記被テストアダプタのテスト結果を出力することは、
前記被テストアダプタの出力情報と前記被テストアダプタの目標出力情報を比較すること、
比較結果に基づいて、前記被テストアダプタのテスト結果を出力すること、
を含み、前記被テストアダプタの目標出力情報と前記被テストアダプタの目標出力状態との間に対応関係が存在する、
ことを特徴とする請求項１３〜２０のいずれか一項に記載のアダプタテスト方法。
【請求項２２】
アダプタテスト装置であって、
テストモジュール、電子負荷及びホストコンピュータを含み、
前記テストモジュールには、第一プロセッサ及び前記第一プロセッサで実行可能なコンピュータプログラムを格納するために用いられる第一メモリが統合され、
前記ホストコンピュータには、第二プロセッサ及び前記第二プロセッサで実行可能なコンピュータプログラムを格納するために用いられる第二メモリが統合され、
前記第一メモリに格納されたコンピュータプログラム及び前記第二メモリに格納されたコンピュータプログラムが前記第一プロセッサ及び前記第二プロセッサによって実行されると、請求項１３〜２１のいずれか一項に記載の方法を実現する、
ことを特徴とするアダプタテスト装置。
【請求項２３】
コンピュータ記憶媒体であって、
前記コンピュータ記憶媒体にはアダプタテストプログラムが格納されており、前記アダプタテストプログラムが第一プロセッサ及び第二プロセッサによって実行されると、請求項１３〜２１のいずれか一項に記載の方法を実現する、
ことを特徴とするコンピュータ記憶媒体。
【発明の詳細な説明】
【技術分野】
【０００１】
本発明は、テスト技術分野に関し、さらに具体的に、アダプタテスト装置、方法及びコンピューター記憶媒体に関する。
【背景技術】
【０００２】
電気機器の種類が増え続けることにつれて、電源アダプタの応用はますます広くなる。電源アダプタの製品品質を確保するために、通常、電源アダプタをテストすることを必要とする。
【０００３】
テストにとって、既存のテスト方式はただ電源アダプタのみをテストするので、電源アダプタのテストは不完全である。携帯電話を実際のワークロードとしてテストする場合、適切なテスト環境を設定することを必要とするので、テストが不便であり、且つ短絡故障テストは携帯電話の爆発を引き起こしやすく、テスト操作人員の安全を脅かす。
【発明の概要】
【０００４】
本願の実施形態は、アダプタテスト装置、方法及びコンピューター記憶媒体を提供し、アダプタテストの安全性を確保し、アダプタのテスト効率を向上させることができるとともに、アダプタの保護機能をテストするので、アダプタの製品品質を高めることができ、その結果、アダプターの使用安全性が向上する。
【０００５】
本発明の第一態様において、アダプタテスト装置が提供される。アダプタテスト装置は、テストモジュール、ホストコンピュータ及び電子負荷を含む。テストモジュールは、電子負荷に接続されており、電子装置の作動状態を模擬して、作動状態に対応する模擬バッテリ電圧値を獲得するために用いられる。テストモジュールは、被テストアダプタに接続されており、模擬バッテリ電圧値に基づいて、被テストアダプタが目標出力状態にあるように制御するために用いられる。テストモジュールは、ホストコンピュータに接続されており、被テストアダプタの目標出力状態を検出し、且つ検出された被テストアダプタの出力情報をホストコンピュータに送信するために用いられる。ホストコンピュータは、被テストアダプタの出力情報に基づいて、被テストアダプタのテスト結果を出力するために用いられる。
【０００６】
上述した方案において、電子負荷は電圧調整機能を有し且つ負荷調整命令を受信するために用いられ、負荷調整命令及びテストモジュールに基づいて電子装置の異なる作動状態を模擬し、作動状態と模擬バッテリ電圧値の間に対応関係がある。
【０００７】
上述した方案において、テストモジュールはさらに模擬バッテリ電圧値をホストコンピュータに送信するために用いられ、ホストコンピュータはさらに模擬バッテリ電圧値に基づいて制御命令を出力し且つ制御命令をテストモジュールに送信するために用いられ、テストモジュールは制御命令に基づいて被テストアダプタが目標出力状態にあるように制御する。
【０００８】
上述した方案において、テストモジュールは、具体的には、模擬バッテリ電圧値が第一プリセット閾値より大きい場合、制御命令に基づいて、被テストアダプタが定電圧モードにあるように制御するために用いられる。
【０００９】
上述した方案において、テストモジュールは、具体的には、模擬バッテリ電圧値が第二プリセット閾値より小さい場合、制御命令に基づいて、被テストアダプタが低電圧保護モードにあるように制御するために用いられる。
【００１０】
上述した方案において、被テストアダプタの出力情報は、被テストアダプタの出力電圧及び被テストアダプタの出力電流を含む。
【００１１】
上述した方案において、定電圧モードでは、被テストアダプタの出力電圧は定格出力電圧範囲内に維持され、模擬バッテリ電圧値が増加すると、被テストアダプタの出力電流は減少される。
【００１２】
上述した方案において、低電圧保護モードでは、被テストアダプタは出力を切断して出力電圧を有しないか、又は被テストアダプタは出力電圧なしのプリセット期間の後に再び出力電圧を有する。
【００１３】
上述した方案において、ホストコンピュータは、具体的には、被テストアダプタの出力情報と被テストアダプタの目標出力情報を比較して、比較結果に基づいて、被テストアダプタのテスト結果を出力する。被テストアダプタの目標出力情報と被テストアダプタの目標出力状態との間に対応関係が存在する。
【００１４】
上述した方案において、テストモジュールは、テストボードと、テストボードに電力を供給する外部電源と、を含む。
【００１５】
本発明の第二態様において、テストボードが提供される。テストボードは、少なくとも金属酸化物半導体電界効果トランジスタ（ＭＯＳＦＥＴ）部材及びマイクロコントローラユニット（ＭＣＵ）部材を含む。テストボードは、電子負荷と協同して、電子装置の作動状態を模擬して、被テストアダプタをテストするために用いられる。
【００１６】
本発明の第三態様において、アダプタテストシステムが提供される。アダプタテストシステムは、被テストアダプタと、第一態様で説明したアダプタテスト装置と、を含む。アダプタテスト装置は、被テストアダプタをテストするために用いれる。
【００１７】
本発明の第四態様において、アダプタテスト方法が提供される。アダプタテスト方法は、テストモジュール、ホストコンピュータ及び電子負荷を含むアダプタテスト装置に適用可能である。アダプタテスト方法は、
テストモジュール及び電子負荷によって電子装置の作動状態を模擬して、作動状態に対応する模擬バッテリ電圧値を獲得するステップと、
模擬バッテリ電圧値に基づいて、被テストアダプタが目標出力状態にあるように制御するステップと、
被テストアダプタの目標出力状態を検出し、且つ検出された被テストアダプタの出力情報を獲得するステップと、
被テストアダプタの出力情報に基づいて、被テストアダプタのテスト結果を出力するステップと、
を含む。
【００１８】
上述した方案において、テストモジュール及び電子負荷によって電子装置の作動状態を模擬して、作動状態に対応する模擬バッテリ電圧値を獲得することは、
電子負荷によって負荷調整命令を受信し、負荷調整命令及びテストモジュールに基づいて電子装置の異なる作動状態を模擬し、電子負荷は電圧調整機能を有し、作動状態と模擬バッテリ電圧値の間に対応関係があること、
模擬された作動状態に基づいて、作動状態に対応する模擬バッテリ電圧値を獲得すること、
を含む。
【００１９】
上述した方案において、模擬バッテリ電圧値に基づいて、被テストアダプタが目標出力状態にあるように制御することは、
テストモジュールとホストコンピュータの接続を介して、テストモジュールは模擬バッテリ電圧値をホストコンピュータに送信すること、
ホストコンピュータは模擬バッテリ電圧値に基づいて制御命令を出力すること、
制御命令に基づいて被テストアダプタが目標出力状態にあるように制御すること、
を含む。
【００２０】
上述した方案において、制御命令に基づいて被テストアダプタが目標出力状態にあるように制御することは、
模擬バッテリ電圧値が第一プリセット閾値より大きい場合、制御命令に基づいて、被テストアダプタが定電圧モードにあるように制御すること、を含む。
【００２１】
上述した方案において、制御命令に基づいて被テストアダプタが目標出力状態にあるように制御することは、
模擬バッテリ電圧値が第二プリセット閾値より小さい場合、制御命令に基づいて、被テストアダプタが低電圧保護モードにあるように制御すること、を含む。
【００２２】
上述した方案において、被テストアダプタの出力情報は、被テストアダプタの出力電圧及び被テストアダプタの出力電流を含む。
【００２３】
上述した方案において、制御命令に基づいて被テストアダプタが目標出力状態にあるように制御することは、
模擬バッテリ電圧値が第一プリセット閾値より大きい場合、制御命令に基づいて、被テストアダプタの出力電圧が定格出力電圧範囲内に維持されるように制御し、且つ模擬バッテリ電圧値が上昇すると、被テストアダプタの出力電流は減少されること、を含む。
【００２４】
上述した方案において、制御命令に基づいて被テストアダプタが目標出力状態にあるように制御することは、
模擬バッテリ電圧値が第二プリセット閾値より小さい場合、制御命令に基づいて、被テストアダプタが出力をオフして出力電圧を有しないように制御するか、又は被テストアダプタが出力電圧なしのプリセット期間の後に再び出力電圧を有するように制御すること、を含む。
【００２５】
上述した方案において、被テストアダプタの出力情報に基づいて、被テストアダプタのテスト結果を出力することは、
被テストアダプタの出力情報と被テストアダプタの目標出力情報を比較すること、
比較結果に基づいて、被テストアダプタのテスト結果を出力すること、
を含み、被テストアダプタの目標出力情報と被テストアダプタの目標出力状態との間に対応関係が存在する。
【００２６】
本発明の第五態様において、アダプタテスト装置が提供される。アダプタテスト装置は、テストモジュール、電子負荷及びホストコンピュータを含む。テストモジュールには、第一プロセッサ及び第一プロセッサで実行可能なコンピュータプログラムを格納するために用いられる第一メモリが統合される。ホストコンピュータには、第二プロセッサ及び第二プロセッサで実行可能なコンピュータプログラムを格納するために用いられる第二メモリが統合される。第一メモリに格納されたコンピュータプログラム及び第二メモリに格納されたコンピュータプログラムが第一プロセッサ及び第二プロセッサによって実行されると、第四態様で説明された方法を実現する。
【００２７】
本発明の第六態様において、コンピュータ記憶媒体が提供される。コンピュータ記憶媒体にはアダプタテストプログラムが格納されており、アダプタテストプログラムが第一プロセッサ及び第二プロセッサによって実行されると、第四態様のいずれか一項で説明された方法のステップを実現する。
【００２８】
本発明の実施形態において、アダプタテスト装置、方法及びコンピューター記憶媒体が提供される。アダプタテスト装置は、テストモジュール、ホストコンピュータ及び電子負荷を含む。テストモジュール及び電子負荷によって電子装置の作動状態を模擬して、作動状態に対応する模擬バッテリ電圧値を獲得し、電子装置の実際のバッテリーを直接に負荷として被テストアダプタをテストして引き起こすテストの不便及びテスト操作人員の安全に危険をもたらす問題を効果的に回避し、アダプタテストの安全性を確保する。模擬バッテリ電圧値に基づいて、テストモジュールは被テストアダプタが目標出力状態にあるように制御する。被テストアダプタの目標出力状態を検出し、且つ検出された被テストアダプタの出力情報をホストコンピュータに送信し、ホストコンピュータは被テストアダプタのテスト結果を出力する。特に、被テストアダプタの保護機能（定電圧モード及び低電圧保護モード）のテストは、被テストアダプタの製品品質を向上させる目的に達することができ、被テストアダプタの使用安全性を高める。テストプロセス全体において、テストモジュール及び電子負荷によって電子装置の作動状態を模擬することにより、電子装置を直接に負荷として使用する場合に適切なテスト環境を設定することを必要とするのでテストし難く且つテストが不便である問題を避けることができ、アダプタのテスト効率を高める。
【図面の簡単な説明】
【００２９】
【図１】図１は、本発明の一実施形態に係わるアダプタテスト装置の構造を示す概略図である。
【図２】図２は、本発明の一実施形態に係わるテストモジュール１０１の具体的なハードウェアの構造を示す概略図である。
【図３】図３は、本発明の一実施形態に係わるアダプタテストシステムの構造を示す概略図である。
【図４】図４は、本発明の一実施形態に係わるアダプタテスト方法のフローチャートである。
【図５】図５は、本発明の別の実施形態に係わるアダプタテスト装置の構造を示す概略図である。
【発明を実施するための形態】
【００３０】
以下、本出願の実施形態の特徴及び技術内容をさらに詳細に了解するために、添付された図面を参照して本出願の実施形態を詳細に説明し、添付された図面は、本発明を限定するのではなく説明することを意図している。
【００３１】
移動端末（スマートフォン、ノートパソコン、タブレットパソコン、携帯情報端末（ＰＤＡ）、ウェアラブル機器など）の普及に伴って、消費者の間で人気が高まっている。ただし、移動端末の消費電力が大きいので、アダプタで急速充電することを必要として、例えば、ＶＯＯＣフラッシュ充電である。ＶＯＯＣフラッシュ充電は急速充電技術であり、５Ｖ/１Ａの電力を使用する通常の充電技術と比較して、ＶＯＯＣフラッシュ充電は充電速度を高めることができ、例えば、充電速度を少なくとも４倍以上に高めることができる。ＶＯＯＣフラッシュ充電技術に対して、移動端末にＶＯＯＣフラッシュ充電専用アダプタを搭載して、移動端末の急速充電を実現する。ＶＯＯＣフラッシュ充電する時、アダプタが定電流モードに入ってから、バッテリ電圧が上昇することにしたがって、アダプタの出力電圧も昇する。アダプタの出力電圧がアダプタの最大出力電圧に達すると、アダプタは定電圧モードになる。アダプタの出力電圧がアダプタの最小出力電圧より低い場合、アダプタは低電圧保護モードに入り、低電圧保護モードでは、アダプタは出力を切断するか（出力パスの切断又は無効化など）又は再起動状態に入る。
【００３２】
アダプタの品質を向上させるために、アダプタを市場に出貨する前にアダプタをテストすることを必要とする。ただし、既存のテスト方式はただ電源アダプタのみをテストするので、電源アダプタのテストは不完全である。携帯電話を実際のワークロードとしてテストする場合、適切なテスト環境を設定することを必要とするので、テストが不便であり、且つ短絡故障テストは携帯電話の爆発を引き起こしやすく、テスト操作人員の安全を脅かす。
【００３３】
本発明の実施形態は、アダプタテスト装置を提供する。テストモジュール及び電子負荷によって電子装置の作動状態を模擬することにより、アダプタテスト過程において、アダプタテストの安全性を確保することに加えて、テスト効率を高めることができる。以下、添付された図面に参照して、本出願の実施形態に対して詳しく説明する。
【００３４】
図１は、本発明の一実施形態に係わるアダプタテスト装置の構造を示す概略図である。図１に示されたように、アダプタテスト装置１００は、テストモジュール１０１、電子負荷１０２及びホストコンピュータ１０３を含む。アダプタテスト装置１００は、テストモジュール１０１を介して被テストアダプタ１０４に接続され、被テストアダプタ１０４をテストするために用いられる。
【００３５】
テストモジュール１０１は、電子負荷１０２に接続されており、電子装置の作動状態を模擬して、作動状態に対応する模擬バッテリ電圧値を獲得するために用いられる。テストモジュール１０１は、被テストアダプタ１０４に接続されており、模擬バッテリ電圧値に基づいて、被テストアダプタ１０４が目標出力状態にあるように制御するために用いられる。テストモジュール１０１は、ホストコンピュータ１０３に接続されており、被テストアダプタ１０４の目標出力状態を検出し、且つ検出された被テストアダプタ１０４の出力情報をホストコンピュータ１０３に送信するために用いられる。ホストコンピュータ１０３は、被テストアダプタ１０４の出力情報に基づいて、被テストアダプタ１０４のテスト結果を出力するために用いられる。
【００３６】
なお、「模擬バッテリ」とは、電子装置の実際のバッテリの性能状態を模擬することを意味し、テストモジュール１０１と電子負荷１０２とが協同して実現する。模擬バッテリの電圧値、電流値と電子装置の実際のバッテリの電圧値、電流値は、同じ大きさと位相角を持つことを必要とする。即ち、模擬バッテリは電子装置の実際のバッテリの等価回路であり、従って故障テストで実際のバッテリが爆発してテスト操作人員の安全を脅かすことを回避することができる。
【００３７】
また、被テストアダプタ１０４は、充電機能を有し、電子装置（バッテリを含む）を充電することができる。電子装置の作動状態に応じて、作動状態に対応するバッテリ電圧値を取得することができる。被テストアダプタ１０４の品質を向上させるために、アダプタテスト装置１００によって被テストアダプタ１０４をテストすることを必要とする。
【００３８】
また、図１に示されたアダプタテスト装置１００において、電子負荷１０２及びホストコンピュータ１０３は、部分的又は全体的にアダプタテスト装置１００の内部に集積されることができ、又は電子負荷１０２及びホストコンピュータ１０３をアダプタテスト装置１００に集積せずに単独に設置することができ、本発明はこれに対して具体的に限定しない。
【００３９】
いくつかの実装形態において、電子負荷１０２は電圧調整機能を有し且つ負荷調整命令を受信するために用いられ、負荷調整命令及びテストモジュール１０１に基づいて電子装置の異なる作動状態を模擬することができ、作動状態と模擬バッテリ電圧値の間に対応関係がある。
【００４０】
いくつかの実装形態において、テストモジュール１０１はホストコンピュータ１０３に接続されるので、テストモジュール１０１はさらに模擬バッテリ電圧値をホストコンピュータ１０３に送信するために用いられる。ホストコンピュータ１０３は、さらに模擬バッテリ電圧値に基づいて制御命令を出力し且つ制御命令をテストモジュール１０１に送信するために用いられる。テストモジュール１０１は制御命令に基づいて被テストアダプタ１０４が目標出力状態にあるように制御する。
【００４１】
いくつかの実装形態において、テストモジュール１０１は、具体的には、模擬バッテリ電圧値が第一プリセット閾値より大きい場合、制御命令に基づいて、被テストアダプタ１０４が定電圧モードにあるように制御する。
【００４２】
いくつかの実装形態において、テストモジュール１０１は、具体的には、模擬バッテリ電圧値が第二プリセット閾値より小さい場合、制御命令に基づいて、被テストアダプタ１０４が低電圧保護モードにあるように制御する。
【００４３】
いくつかの実装形態において、被テストアダプタ１０４の出力情報は、被テストアダプタの出力電圧及び出力電流を含む。
【００４４】
いくつかの実装形態において、定電圧モードでは、被テストアダプタ１０４の出力電圧は定格出力電圧範囲内に維持され、模擬バッテリ電圧値が増加すると、被テストアダプタ１０４の出力電流は減少される。
【００４５】
いくつかの実装形態において、低電圧保護モードでは、被テストアダプタ１０４は出力を切断して出力電圧を有しないか、又は被テストアダプタ１０４は出力電圧なしのプリセット期間の後に再び出力電圧を有する。
【００４６】
第一プリセット閾値は、被テストアダプタ１０４が定電圧モードにあることを示す電圧判断値であり、例えば、第一プリセット閾値は５．５Ｖであることができる。第二プリセット閾値は、被テストアダプタ１０４が低電圧保護モードにあることを示す電圧判断値であり、例えば、第二プリセット閾値は３Ｖであることができる。プリセット期間は、被テストアダプタ１０４が低電圧保護モードにある場合、被テストアダプタ１０４が出力を切断してから再び出力電圧を有するまでの間に事前に確保したリセット期間であり、例えば、プリセット期間は１ｓであることができる。ここで、第一プリセット閾値と第二プリセット閾値は異なり、第一プリセット閾値は第二プリセット閾値より大きい。第一プリセット閾値及び第二プリセット閾値は被テストアダプタ１０４の最大出力能力に係わり、本出願の実施形態はこれに対して具体的に限定しない。
【００４７】
さらに、テストモジュール１０１は制御命令に基づいて被テストアダプタ１０４の目標出力状態を制御し、主に受信した模擬バッテリ電圧値に関連されることに留意されたい。電子負荷１０２によって負荷調整命令を受信することにより、異なる模擬バッテリ電圧値を獲得することができる。異なる模擬バッテリ電圧値に基づいて、ホストコンピュータ１０３によって生成された制御命令の具体指示内容は異なる。テストモジュール１０１は、制御命令の具体指示内容に基づいて、被テストアダプタ１０４が目標出力状態にあるように制御する。
【００４８】
例えば、負荷調整命令に基づいて電子負荷１０２を調整することにより、模擬バッテリ電圧値を連続的に増加させることができる。ホストコンピュータ１０３は、現在獲得した模擬バッテリ電圧値に基づいて制御命令を送信し、制御命令には第一指示内容が含まれる。第一指示内容に基づいて、テストモジュール１０１は、被テストアダプタ１０４の出力電圧も徐々に増加するように制御することができる。獲得された模擬バッテリ電圧値が第一プリセット閾値より大きくなるまで増加した場合、例えば、獲得された模擬バッテリ電圧値が５．５Ｖより大きい場合、ホストコンピュータ１０３は現在の模擬バッテリ電圧値に基づいて制御命令を送信し、制御命令には第二指示内容が含まれる。第二指示内容に基づいて、テストモジュール１０１は、被テストアダプタ１０４が定電圧モードにあるように制御することができ、換言すると、被テストアダプタ１０４は過電圧保護プロセスに進む。このとき、被テストアダプタ１０４の出力電圧は定格出力電圧範囲内に維持されるとともに、模擬バッテリ電圧値の増加に伴って、被テストアダプタ１０４の出力電流は徐々に減少される。獲得した模擬バッテリ電圧値が第二プリセット閾値未満に減少された場合、例えば、獲得した模擬バッテリ電圧値が３Ｖ未満に減少された場合、ホストコンピュータ１０３は現在の模擬バッテリ電圧値に基づいて続いて制御命令を送信し、制御命令には第三指示内容が含まれる。第三指示内容に基づいて、テストモジュール１０１は、被テストアダプタ１０４が低電圧保護モードにあるように制御することができ、換言すると、被テストアダプタ１０４は低電圧保護プロセスに進む。このとき、被テストアダプタ１０４は出力を切断するか（即ち、被テストアダプタ１０４は出力電圧を有しない）、又は被テストアダプタ１０４をリセットして再起動することができる（即ち 、出力電圧なしのプリセット期間（例えば、１秒）の後に、被テストアダプタ１０４は再び出力電圧を有する）。
【００４９】
いくつかの実装形態において、ホストコンピュータ１０３は、被テストアダプタ１０４の出力情報を受信してから、具体的には、被テストアダプタ１０４の出力情報と被テストアダプタ１０４の目標出力情報を比較して、比較結果に基づいて、被テストアダプタ１０４のテスト結果を出力する。被テストアダプタ１０４の目標出力情報と被テストアダプタ１０４の目標出力状態との間に対応関係が存在する。
【００５０】
なお、ホストコンピュータ１０３が制御命令を生成しているところ、目標出力状態に対応する目標出力情報を獲得することができる。テストモジュール１０１は、被テストアダプタ１０４の出力情報を獲得してからホストコンピュータ１０３に送信する。次に、ホストコンピュータ１０３は、被テストアダプタ１０４の出力情報と被テストアダプタ１０４の目標出力情報を比較して、比較結果に基づいて、被テストアダプタ１０４のテスト結果を獲得することができる。
【００５１】
例えば、定電圧モードを例とすると、第一プリセット閾値は５．５Ｖであると仮定し、獲得された模擬バッテリ電圧値が５．８Ｖである場合、被テストアダプタ１０４の目標出力状態は定電圧モードであると結論付けることができる。即ち、被テストアダプタ１０４の目標出力情報は、出力電圧が５．５Ｖに維持され、出力電流は模擬バッテリ電圧値の増加にしたがって減少されることである。被テストアダプタ１０の出力情報において、出力電圧は５．５Ｖであり、出力電流は模擬バッテリ電圧値の増加にしたがって減少される場合、即ち、被テストアダプタ１０４の出力情報と被テストアダプタ１０４の目標出力情報が一致すると、被テストアダプタ１０４のテスト結果は要件を満たしていることを説明する。被テストアダプタ１０４の出力情報において、出力電圧は５．８Ｖであるか、又は出力電流は模擬バッテリ電圧値の増加にしたがって増加される場合、即ち、被テストアダプタ１０４の出力情報と被テストアダプタ１０４の目標出力情報が一致しないと、被テストアダプタ１０４のテスト結果は要件を満たさないことを説明する。この場合、開発者は、被テストアダプタの品質を向上させるために、障害箇所を分析し、且つ品質を改善することを必要とする。
【００５２】
図２を参照してください。図２は、図１に示されたテストモジュール１０１の具体的なハードウェアの構造を示す概略図である。図２に示されたように、テストモジュール１０１は、テストボード２０１及び外部電源２０２を含む。外部電源２０２は、テストボード２０１に電力を供給するために用いられる。
【００５３】
いくつかの実装形態において、テストボード２０１は、少なくとも金属酸化物半導体電界効果トランジスタ（ｍｅｔａｌ-ｏｘｉｄｅ-ｓｅｍｉｃｏｎｄｕｃｔｏｒ  ｆｉｅｌｄ-ｅｆｆｅｃｔ  ｔｒａｎｓｉｓｔｏｒ，ＭＯＳＦＥＴ）部材２０１１及びマイクロコントローラユニット（ｍｉｃｒｏｃｏｎｔｒｏｌｌｅｒ  ｕｎｉｔ，ＭＣＵ）部材２０１２を含む。テストボード２０１は、電子負荷１０２と協同して、電子装置の作動状態を模擬して、被テストアダプタ１０４をテストするために用いられる。
【００５４】
テストモジュール１０１は、集積された１つの部材、ユニット、又はモジュールであることができ、図面に示されたものよりも多い又は少ない部材を含むことができるか、又はいくつかの部材を組み合わせることができるか、又は異なる部材配置を有することができることに留意されたい。さらに、テストボード２０１は、集積された１つの部材、ユニット、又はモジュールであることができ、図面に示されたものよりも多い又は少ない部材を含むことができるか、又はいくつかの部材を組み合わせることができるか、又は異なる部材配置を有することができる。テストボード２０１は、外部電源２０２によって電力を供給することができ、又はテストボード２０１に内蔵された電源回路によって電力を供給するすることもでき、本出願の実施形態はこれに対して具体的に限定しない。
【００５５】
例えば、図２に示されたように、ＶＢＵＳとＧＮＤとの間の電圧は、実際には、被テストアダプタ１０４の出力電圧であり、ＶＢＵＳ及びＧＮＤはそれぞれ被テストアダプタ１０４の電力線の正極及び負極と接続される必要がある。テストモジュール１０１と被テストアダプタ１０４との間の通信は、実際には、テストボード２０１のＭＣＵ部材２０１１と被テストアダプタ１０４との間の通信信号の交換である。同様に、テストモジュール１０１とホストコンピュータ１０３との間の通信は、実際には、テストボード２０１のＭＣＵ部材２０１１とホストコンピュータ１０３との間の通信信号の交換である。テストボード２０１のＭＯＳＦＥＴ部材２０１２は、主に、テストモジュール１０１と電子負荷１０２が互いに協同して電子装置の作動状態を模擬するようにするために用いられる。テストモジュールと電子負荷によって電子装置の作動状態を模擬することにより、電子装置を直接に実際の負荷として被テストアダプタをテストすると、テスト不便であり、且つ操作人員の安全に危険をもたらす問題を効果的に回避することができる。
【００５６】
上述したように、本実施形態に係わるアダプタテスト装置において、テストモジュールは電子負荷に接続されており、電子装置の作動状態を模擬して、作動状態に対応する模擬バッテリ電圧値を獲得するために用いられる。テストモジュールは被テストアダプタに接続されており、模擬バッテリ電圧値に基づいて、被テストアダプタが目標出力状態にあるように制御するために用いられる。テストモジュールはホストコンピュータに接続されており、被テストアダプタの目標出力状態を検出し、且つ検出された被テストアダプタの出力情報をホストコンピュータに送信するために用いられる。ホストコンピュータは、被テストアダプタの出力情報に基づいて、被テストアダプタのテスト結果を出力するために用いられる。テストモジュールと電子負荷によって電子装置の作動状態を模擬することにより、電子装置を直接に実際の負荷として被テストアダプタをテストすると、テスト不便であり、且つ操作人員の安全に危険をもたらす問題を効果的に回避することができるので、アダプタのテスト安全性を確保し、アダプタのテスト効率を向上させることができる。被テストアダプタの保護機能をテストすることにより、アダプタの製品品質を向上させることができ、さらにアダプタの使用安全性を高める。
【００５７】
図３は、本発明の一実施形態に係わるアダプタテストシステムの構造を示す概略図である。図３に示されたように、アダプタテストシステム３００は、被テストアダプタ１０４及びアダプタテスト装置１００を含む。アダプタテスト１００は、被テストアダプタ１０４に接続されている。アダプタテスト１００は、被テストアダプタ１０４をテストして、被テストアダプタ１０４の品質を向上させるために用いられる。本出願の実施形態に係わるアダプタテスト装置１００を使用することにより、アダプタのテスト安全性を確保し、テスト効率を向上させることができる。被テストアダプタの保護機能をテストすることにより、アダプタの製品品質を向上させることができ、さらにアダプタの使用安全性を高める。
【００５８】
上述した実施形態と同じ発明要旨に基づいて、図４を参照してください。図４は、本発明の一実施形態に係わるアダプタテスト方法のフローチャートである。アダプタテスト方法は、テストモジュール、電子負荷及びホストコンピュータを含むアダプタテスト装置に適用可能である。アダプタテスト方法は、以下のステップを含む。
【００５９】
Ｓ４０１：テストモジュール及び電子負荷によって電子装置の作動状態を模擬して、作動状態に対応する模擬バッテリ電圧値を獲得する。
【００６０】
Ｓ４０２：模擬バッテリ電圧値に基づいて、被テストアダプタが目標出力状態にあるように制御する。
【００６１】
Ｓ４０３：被テストアダプタの目標出力状態を検出し、且つ検出された被テストアダプタの出力情報を獲得する。
【００６２】
Ｓ４０４：被テストアダプタの出力情報に基づいて、被テストアダプタのテスト結果を出力する。
【００６３】
アダプタテスト装置は、テストモジュール、電子負荷及びホストコンピュータを含むことに留意されたい。電子負荷及びホストコンピュータは、部分的又は全体的にアダプタテスト装置の内部に集積されることができ、又は電子負荷及びホストコンピュータはアダプタテスト装置に集積せずに単独に設置することができ、本発明はこれに対して具体的に限定しない。
【００６４】
アダプタテスト装置は、被テストアダプタをテストするために用いられる。テストモジュール及び電子負荷によって電子装置の作動状態を模擬して、作動状態に対応する模擬バッテリ電圧値を獲得し、電子装置の実際のバッテリーを直接に負荷として被テストアダプタをテストして引き起こすテストの不便及びテスト操作人員の安全に危険をもたらす問題を効果的に回避し、アダプタテストの安全性を確保する。模擬バッテリ電圧値に基づいて、テストモジュールは被テストアダプタが目標出力状態にあるように制御する。被テストアダプタの目標出力状態を検出し、且つ検出された被テストアダプタの出力情報をホストコンピュータに送信し、ホストコンピュータは被テストアダプタのテスト結果を出力する。特に、被テストアダプタの保護機能（定電圧モード及び低電圧保護モード）のテストは、被テストアダプタの製品品質を向上させる目的に達することができ、被テストアダプタの使用安全性を高める。テストプロセス全体において、テストモジュール及び電子負荷によって電子装置の作動状態を模擬することにより、電子装置を直接に負荷として使用する場合に適切なテスト環境を設定することを必要とするのでテストし難く且つテストが不便である問題を避けることができ、アダプタのテスト効率を高める。
【００６５】
いくつかの実施形態において、テストモジュール及び電子負荷によって電子装置の作動状態を模擬して、作動状態に対応する模擬バッテリ電圧値を獲得することは、
電子負荷は負荷調整命令を受信し、負荷調整命令及びテストモジュールに基づいて電子装置の異なる作動状態を模擬し、電子負荷は電圧調整機能を有し、作動状態と模擬バッテリ電圧値の間に対応関係があること、
模擬された作動状態に基づいて、作動状態に対応する模擬バッテリ電圧値を獲得すること、
を含む。
【００６６】
電子負荷は電圧調整機能を有することに留意されたい。電子負荷によって負荷調整命令を受信し、電子負荷とテストモジュールが協同して電子装置の異なる作動状態を模擬することができ、異なる作動状態に応じて異なる模擬バッテリ電圧値を獲得することができる。
このように、本出願の実施形態において、被テストアダプタとアダプタテスト装置が接続された後、模擬された電子装置の異なる作動状態に基づいて被テストアダプタをテストすることにより、アダプタテストの全面性を確保するだけではなく、アダプタの製品品質を向上させることができ、電子装置を直接に実際の負荷として被テストアダプタをテストして引き起こすテストの不便及びテスト操作人員の安全に危険をもたらす問題を効果的に回避し、アダプタテストの安全性を確保するとともに、アダプタのテスト効率を高める。
【００６７】
いくつかの実施形態において、模擬バッテリ電圧値に基づいて、被テストアダプタが目標出力状態にあるように制御することは、
テストモジュールとホストコンピュータの接続を介して、テストモジュールは模擬バッテリ電圧値をホストコンピュータに送信すること、
ホストコンピュータは模擬バッテリ電圧値に基づいて制御命令を出力すること、
制御命令に基づいて被テストアダプタが目標出力状態にあるように制御すること、
を含む。
【００６８】
テストモジュールは模擬バッテリ電圧値を獲得してからホストコンピュータに送信し、ホストコンピュータは模擬バッテリ電圧値に基づいて制御命令を生成し、制御命令はテストモジュールに被テストアダプタの出力状態を制御するように指示するために用いられる。例えば、ホストコンピューターは、被テストアダプタが目標出力状態にあることを希望する。この場合、ホストコンピュータは制御命令を生成してからテストモジュールに送信する。テストモジュールは、制御命令に基づいて被テストアダプタが目標出力状態になるように制御する。
【００６９】
いくつかの実施形態において、制御命令に基づいて被テストアダプタが目標出力状態にあるように制御することは、
模擬バッテリ電圧値が第一プリセット閾値より大きい場合、制御命令に基づいて、被テストアダプタが定電圧モードにあるように制御すること、を含む。
【００７０】
いくつかの実施形態において、制御命令に基づいて被テストアダプタが目標出力状態にあるように制御することは、
模擬バッテリ電圧値が第二プリセット閾値より小さい場合、制御命令に基づいて、被テストアダプタが低電圧保護モードにあるように制御すること、を含む。
【００７１】
第一プリセット閾値は、被テストアダプタが定電圧モードにあることを示す電圧判断値であり、例えば、第一プリセット閾値は５．５Ｖであることができる。第二プリセット閾値は、被テストアダプタが低電圧保護モードにあることを示す電圧判断値であり、例えば、第二プリセット閾値は３Ｖであることができる。ここで、第一プリセット閾値と第二プリセット閾値は異なり、第一プリセット閾値は第二プリセット閾値より大きい。第一プリセット閾値及び第二プリセット閾値は被テストアダプタの最大出力能力に係わり、本出願の実施形態はこれに対して具体的に限定しない。
【００７２】
さらに、テストモジュールは制御命令に基づいて被テストアダプタの目標出力状態を制御し、主に模擬バッテリ電圧値に関連されることに留意されたい。電子負荷によって負荷調整命令を受信することにより、異なる模擬バッテリ電圧値を獲得することができる。異なる模擬バッテリ電圧値に基づいて、ホストコンピュータによって生成された制御命令の具体指示内容は異なる。テストモジュールは、制御命令の具体指示内容に基づいて、被テストアダプタが目標出力状態にあるように制御する。
【００７３】
いくつかの実施形態において、被テストアダプタの出力情報は、被テストアダプタの出力電圧及び出力電流を含む。
【００７４】
選択的に、制御命令に基づいて被テストアダプタが目標出力状態にあるように制御することは、
模擬バッテリ電圧値が第一プリセット閾値より大きい場合、制御命令に基づいて、被テストアダプタの出力電圧が定格出力電圧範囲内に維持されるように制御し、且つ模擬バッテリ電圧値が上昇すると、被テストアダプタの出力電流は減少されること、を含む。
【００７５】
選択的に、制御命令に基づいて被テストアダプタが目標出力状態にあるように制御することは、
模擬バッテリ電圧値が第二プリセット閾値より小さい場合、制御命令に基づいて、被テストアダプタが出力をオフして出力電圧を有しないように制御するか、又は被テストアダプタが出力電圧なしのプリセット期間の後に再び出力電圧を有するように制御すること、を含む。
【００７６】
プリセット期間は、被テストアダプタが低電圧保護モードにある場合、被テストアダプタが出力を切断してから再び出力電圧を有するまでの間に事前に確保したリセット期間であり、例えば、プリセット期間は１ｓであることができる。被テストアダプタの出力情報は、テストモジュールによって検出することにより獲得される。被テストアダプタのテストは、主に出力電圧と出力電流が目標出力状態の予め設定された要件を満たしているか否かを検出することである。
【００７７】
例えば、図１に示されたアダプタテスト装置を参照すると、被テストアダプタとアダプタテスト装置が接続された後、被テストアダプタが充電状態にあると仮定し、テストモジュール及び電子負荷によって模擬された電子装置を充電する。通常、被テストアダプタは最初に定電流モードにある。この場合、電子負荷を調整することにより、模擬バッテリ電圧値を連続的に増加させることができる。ホストコンピュータは、現在の模擬バッテリ電圧値に基づいて制御命令を送信し、制御命令には第一指示内容が含まれる。第一指示内容に基づいて、テストモジュールは被テストアダプタの出力電圧が徐々に増加するように制御することができる。模擬バッテリ電圧値が第一プリセット閾値より大きくなるまで増加した場合、例えば、獲得された模擬バッテリ電圧値が５．５Ｖより大きい場合、ホストコンピュータは現在の模擬バッテリ電圧値に基づいて制御命令を送信し、制御命令には第二指示内容が含まれる。第二指示内容に基づいて、テストモジュールは、被テストアダプタが定電圧モードにあるように制御することができ、換言すると、被テストアダプタは過電圧保護プロセスに進む。このとき、被テストアダプタの出力電圧は定格出力電圧範囲内に維持されるとともに、模擬バッテリ電圧値の増加に伴って、被テストアダプタの出力電流は徐々に減少される。模擬バッテリ電圧値が第二プリセット閾値未満に減少された場合、例えば、獲得した模擬バッテリ電圧値が３Ｖ未満に減少された場合、ホストコンピュータは現在の模擬バッテリ電圧値に基づいて続いて制御命令を送信し、制御命令には第三指示内容が含まれる。第三指示内容に基づいて、テストモジュールは、被テストアダプタが低電圧保護モードにあるように制御することができ、換言すると、被テストアダプタは低電圧保護プロセスに進む。このとき、被テストアダプタは出力を切断するか（即ち、被テストアダプタは出力電圧を有しない）、又は被テストアダプタをリセットして再起動することができる（即ち 、出力電圧なしのプリセット期間（例えば、１秒）の後に、被テストアダプタは再び出力電圧を有する）。被テストアダプタに対して過電圧保護テストと低電圧保護テストを行うことにより、被テストアダプタの品質を向上させることができる。さらに、テストモジュールと電子負荷によって電子装置の作動状態を模擬することにより、バッテリの過電圧又は低電圧によるバッテリ爆発の危険を効果的に回避することができ、アダプタのテスト安全性が確保され、テスト効率を高める。
【００７８】
いくつかの実施形態において、被テストアダプタの出力情報に基づいて、被テストアダプタのテスト結果を出力することは、
被テストアダプタの出力情報と被テストアダプタの目標出力情報を比較すること、
比較結果に基づいて、被テストアダプタのテスト結果を出力すること、
を含み、被テストアダプタの目標出力情報と被テストアダプタの目標出力状態との間に対応関係が存在する。
【００７９】
なお、ホストコンピュータが制御命令を生成しているところ、目標出力状態に対応する目標出力情報を獲得することもできる。テストモジュールは、被テストアダプタの出力情報を獲得してからホストコンピュータに送信する。次に、ホストコンピュータは、被テストアダプタの出力情報と被テストアダプタの目標出力情報を比較して、比較結果に基づいて、被テストアダプタのテスト結果を獲得することができる。
【００８０】
例えば、定電圧モードを例とすると、第一プリセット閾値は５．５Ｖであると仮定し、獲得された模擬バッテリ電圧値が５．８Ｖである場合、被テストアダプタ１０４の目標出力状態は定電圧モードであると結論付けることができる。即ち、被テストアダプタ１０４の目標出力情報は、出力電圧が５．５Ｖに維持され、出力電流は模擬バッテリ電圧値の増加にしたがって減少されることである。被テストアダプタ１０の出力情報において、出力電圧は５．５Ｖであり、出力電流は模擬バッテリ電圧値の増加にしたがって減少される場合、即ち、被テストアダプタ１０４の出力情報と被テストアダプタ１０４の目標出力情報が一致すると、被テストアダプタ１０４のテスト結果は要件を満たしていることを説明する。被テストアダプタ１０４の出力情報において、出力電圧は５．８Ｖであるか、又は出力電流は模擬バッテリ電圧値の増加にしたがって増加される場合、即ち、被テストアダプタ１０４の出力情報と被テストアダプタ１０４の目標出力情報が一致しないと、被テストアダプタ１０４のテスト結果は要件を満たさないことを説明する。この場合、開発者は、被テストアダプタの品質を向上させるために、障害箇所を分析し、且つ品質を改善することを必要とする。
【００８１】
本実施形態によって提供されるアダプタテスト方法は、テストモジュール、ホストコンピュータ及び電子負荷を含むアダプタテスト装置に適用される。テストモジュール及び電子負荷によって電子装置の作動状態を模擬して、作動状態に対応する模擬バッテリ電圧値を獲得し、模擬バッテリ電圧値に基づいて、被テストアダプタが目標出力状態にあるように制御する。被テストアダプタの目標出力状態を検出し、且つ検出された被テストアダプタの出力情報を獲得する。被テストアダプタの出力情報に基づいて、被テストアダプタのテスト結果を出力する。テストモジュール及び電子負荷によって電子装置の作動状態を模擬することにより、電子装置を直接に負荷として被テストアダプタをテストして引き起こすテストの不便及びテスト操作人員の安全に危険をもたらす問題を効果的に回避し、アダプタのテスト安全性を確保し、アダプタのテスト効率をを向上させることができるとともに、アダプタの保護機能をテストするので、アダプタの製品品質を高めることができ、その結果、アダプターの使用安全性が向上する。
【００８２】
また、図１に示された技術方案に記載された各構成要素又はモジュールは１つの処理ユニットに集積されることができ、又は各モジュールは単独に物理的に存在することもでき、２つ以上のモジュールが１つのユニットに集積されることもできる。上述した統合ユニットは、ハードウェアの形式で実現するか、又はソフトウェア機能モジュールの形式で実現することもできる。
【００８３】
前記集積ユニットは、ソフトウェア機能ユニットとして実現され、独立の製品として販売されたり使用されたりする場合、コンピュータ読み取り可能な記録媒体に記憶されてもよい。この理解によれば、本実施例の技術方案の本質、又は従来技術に貢献できた部分、又は該技術方案の一部又は全部は、ソフトウェア製品として表現され得る。このコンピュータソフトウェア製品は、１つの記憶媒体に記憶されており、１つのコンピュータ（パソコン、サーバー、又はネットワーク機器などであってもよい）又はプロセッサに本実施例に係る方法の全部又は一部を実行させるの複数のコマンドが含まれている。記憶媒体は、ＵＳＢフラッシュメモリー、モバイルハードディスク、読み出し専用メモリ（ＲＯＭ、Ｒｅａｄ−Ｏｎｌｙ Ｍｅｍｏｒｙ）、ランダムアクセスメモリ（ＲＡＭ、Ｒａｎｄｏｍ Ａｃｃｅｓｓ Ｍｅｍｏｒｙ）、磁気ディスク又は光ディスクなどの各種のプログラムコードを記憶可能な媒体を含む。
【００８４】
したがって、本出願の実施形態において、コンピュータ記憶媒体が提供される。コンピュータ記憶媒体にはアダプタテストプログラムが格納されており、アダプタテストプログラムが少なくとも１つのプロセッサによって実行されると、図４に示された技術方案に記載された方法のステップを実現する。
【００８５】
アダプタテスト装置１００及びコンピュータ記憶媒体に基づいて、図５を参照してください。図５は、本発明の別の実施形態に係わるアダプタテスト装置１００の構造を示す概略図である。テストモジュール１０１は、第一ネットワークインターフェース５０１と、第一プロセッサ５０２と、第一プロセッサ５０２上で実行可能なコンピュータプログラムを格納するために用いられる第一メモリ５０３と、を含む。第一ネットワークインターフェース５０１、第一プロセッサ５０２及び第一メモリ５０３は、第一バスシステム５０４を介して一緒に結合される。ホストコンピュータ１０３は、第二ネットワークインターフェース５０５と、第二プロセッサ５０６と、第二プロセッサ５０６上で実行可能なコンピュータプログラムを格納するために用いられる第二メモリ５０７と、を含む。第二ネットワークインターフェース５０５、第二プロセッサ５０６及び第二メモリ５０７は、第二バスシステム５０８を介して一緒に結合される。
【００８６】
さらに、本出願の実施形態において、コンピュータプログラムが第一プロセッサ５０２上で実行されると、テストモジュール及び電子負荷によって電子装置の作動状態を模擬して、作動状態に対応する模擬バッテリ電圧値を獲得し、模擬バッテリ電圧値に基づいて、被テストアダプタが目標出力状態にあるように制御し、被テストアダプタの目標出力状態を検出し、且つ検出された被テストアダプタの出力情報を獲得する。コンピュータプログラムが第二プロセッサ５０６上で実行されると、被テストアダプタの出力情報に基づいて、被テストアダプタのテスト結果を出力する。
【００８７】
本出願の実施形態において、第一メモリ５０３は、揮発性メモリ又は不揮発性メモリであることができ、又は揮発性メモリ及び不揮発性メモリの両方を含むことができると理解されるべきである。不揮発性メモリは、読み取り専用メモリ（Ｒｅａｄ-Ｏｎｌｙ  Ｍｅｍｏｒｙ，ＲＯＭ）、プログラム可能な読み取り専用メモリ（ｐｒｏｇｒａｍｍａｂｌｅ  ＲＯＭ, ＰＲＯＭ）、消去可能なプログラム可能な読み取り専用メモリ（Ｅｒａｓａｂｌｅ  ＰＲＯＭ, ＥＰＲＯＭ）、電気的に消去可能なプログラム可能な読み取り専用メモリ（Ｅｌｅｃｔｒｉｃａｌｌｙ  ＥＰＲＯＭ, ＥＥＰＲＯＭ）又はフラッシュメモリであることができる。揮発性メモリは、外部キャッシュとして機能するランダムアクセスメモリ（Ｒａｎｄｏｍ  Ａｃｃｅｓｓ  Ｍｅｍｏｒｙ，ＲＡＭ）であることができる。例示的であるが限定的ではない例として、多い形式のＲＡＭが利用可能であり、例えば、スタティックランダムアクセスメモリ（Ｓｔａｔｉｃ  ＲＡＭ，ＳＲＡＭ）、ダイナミックランダムアクセスメモリ（Ｄｙｎａｍｉｃ  ＲＡＭ，ＤＲＡＭ）、同期ダイナミックランダムアクセスメモリ（Ｓｙｎｃｈｒｏｎｏｕｓ  ＤＲＡＭ，ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ，ＤＤＲＳＤＲＡＭ）、拡張同期ダイナミックランダムアクセスメモリ（Ｅｎｈａｎｃｅｄ  ＳＤＲＡＭ，ＥＳＤＲＡＭ）、同期接続ダイナミックランダムアクセスメモリ（Ｓｙｎｃｈ-ｌｉｎｋ  ＤＲＡＭ，ＳＬＤＲＡＭ）、ダイレクトランバスランダムアクセスメモリ（Ｄｉｒｅｃｔ  Ｒａｍｂｕｓ  ＲＡＭ，ＤＲＲＡＭ）である。本明細書に記載されたシステム及び方法の第一メモリ５０３は、これら及び他の任意の適切なタイプのメモリを含むことができるが、これらに限定されない。
【００８８】
第一プロセッサ５０２は、信号処理機能を有する集積回路チップであることができる。実施過程において、上述した方法の各ステップは、第一プロセッサ５０２のハードウェアの集積論理回路（ｉｎｔｅｇｒａｔｅｄ  ｌｏｇｉｃ  ｃｉｒｃｕｉｔ）又はソフトウェア形式の命令によって完成することができる。第一プロセッサ５０２は、汎用プロセッサ、デジタル信号プロセッサ（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブルロジックデバイス、ディスクリートゲート又はトランジスタロジックデバイス、ディスクリートハードウェアコンポーネントであることができる。本出願の実施例で開示された方法、ステップ及び論理ブロック図を実現又は実行することができる。汎用プロセッサはマイクロプロセッサであることができ、又はプロセッサは任意の従来のプロセッサなどであることができる。本出願の実施例で開示された方法のステップは、直接にハードウェア復号化プロセッサによって実行することができるか、又は復号化プロセッサ内のハードウェア及びソフトウェアモジュールの組合せによって実行することができる。ソフトウェアモジュールは、ＲＡＭ、フラッシュメモリ、ＲＯＭ、ＰＲＯＭ又は電気的に消去可能なプログラム可能なメモリ、レジスタなどの記憶媒体に位置することができる。記憶媒体は第一メモリ５０３に位置する。第一プロセッサ５０２は、第一メモリ５０３内の情報を読み取り、そのハードウェアと組み合わせて上述したの方法のステップを完成する。
【００８９】
第二メモリ５０７と第一メモリ５０３のハードウェア機能は類似であり、第二プロセッサ５０６と第一プロセッサ５０２のハードウェア機能は類似であり、ここでは繰り返さない。
【００９０】
本明細書に記載されたこれらの実施形態は、ハードウェア、ソフトウェア、ファームウェア、ミドルウェア、マイクロコード又はその組合によって実現することができる。ハードウェアによって実現する場合、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ，ＡＳＩＣ）、デジタル信号プロセッシング（Ｄｉｇｉｔａｌ  Ｓｉｇｎａｌ  Ｐｒｏｃｅｓｓｉｎｇ，ＤＳＰ）、ＤＳＰデバイス（ＤＳＰ  Ｄｅｖｉｃｅ，ＤＳＰＤ）、プログラマブルロジックデバイス（Ｐｒｏｇｒａｍｍａｂｌｅ  Ｌｏｇｉｃ  Ｄｅｖｉｃｅ，ＰＬＤ）、フィールドプログラマブルゲートアレイ（Ｆｉｅｌｄ-Ｐｒｏｇｒａｍｍａｂｌｅ  Ｇａｔｅ  Ａｒｒａｙ，ＦＰＧＡ）、汎用プロセッサ、コントローラ、マイクロコントローラ、マイクロプロセッサ、本出願に記載された機能を実行するための他の電子ユニット又はそれらの組み合わせで実現されることができる。
【００９１】
ソフトウェアによって実現する場合、本明細書に記載された機能モジュール（例えば、プロセス、関数など）を実行することにより、本明細書に記載された技術を実現することができる。ソフトウェアコードはメモリに格納されて、プロセッサによって実行することができる。メモリは、プロセッサ内又はプロセッサの外部で実現することができる。
【００９２】
選択的には、他の実装形態として、コンピュータプログラムを実行するとき、第一プロセッサ５０２及び第二プロセッサ５０６によって実行するとき、図４に示された技術方案の方法のステップを実現する。ここでは繰り返さない。
【００９３】
本出願の実施例に記載された技術方案は、矛盾がないかぎり任意に組み合わせることができる。
【００９４】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【産業上の利用可能性】
【００９５】
本出願の実施形態において、アダプタテスト装置は、テストモジュール、ホストコンピュータ及び電子負荷を含む。テストモジュール及び電子負荷によって電子装置の作動状態を模擬して、作動状態に対応する模擬バッテリ電圧値を獲得し、電子装置の実際のバッテリーを直接に負荷として被テストアダプタをテストして引き起こすテストの不便及びテスト操作人員の安全に危険をもたらす問題を効果的に回避し、アダプタテストの安全性を確保する。模擬バッテリ電圧値に基づいて、テストモジュールは被テストアダプタが目標出力状態にあるように制御する。被テストアダプタの目標出力状態を検出し、且つ検出された被テストアダプタの出力情報をホストコンピュータに送信し、ホストコンピュータは被テストアダプタのテスト結果を出力する。特に、被テストアダプタの保護機能（定電圧モード及び低電圧保護モード）のテストは、被テストアダプタの製品品質を向上させる目的に達することができ、被テストアダプタの使用安全性を高める。テストプロセス全体において、テストモジュール及び電子負荷によって電子装置の作動状態を模擬することにより、電子装置を直接に負荷として使用する場合に適切なテスト環境を設定することを必要とするのでテストし難く且つテストが不便である問題を避けることができ、アダプタのテスト効率を高める。
【図１】
2021529320.tif 000003
【図２】
2021529320.tif 000004
【図３】
2021529320.tif 000005
【図４】
2021529320.tif 000006
【図５】
2021529320.tif 000007
【手続補正書】
【提出日】令和3年1月5日(2021.1.5)
【手続補正１】
【補正対象書類名】明細書
【補正対象項目名】０００６
【補正方法】変更
【補正の内容】
【０００６】
上述した方案において、電子負荷は電圧調整機能を有する。電子負荷は負荷調整命令を受信し、負荷調整命令に基づいて電子負荷の負荷を調整し、テストモジュールは電子負荷の負荷に基づいて電子装置の異なる作動状態を模擬し、作動状態と模擬バッテリ電圧値の間に対応関係がある。
【手続補正２】
【補正対象書類名】明細書
【補正対象項目名】００１８
【補正方法】変更
【補正の内容】
【００１８】
上述した方案において、テストモジュール及び電子負荷によって電子装置の作動状態を模擬して、作動状態に対応する模擬バッテリ電圧値を獲得することは、
電子負荷によって負荷調整命令を受信し、負荷調整命令に基づいて電子負荷の負荷を調整し、テストモジュールは電子負荷の負荷に基づいて電子装置の異なる作動状態を模擬し、電子負荷は電圧調整機能を有し、作動状態と模擬バッテリ電圧値の間に対応関係があること、
模擬された作動状態に基づいて、作動状態に対応する模擬バッテリ電圧値を獲得すること、
を含む。
【手続補正３】
【補正対象書類名】明細書
【補正対象項目名】００３９
【補正方法】変更
【補正の内容】
【００３９】
いくつかの実装形態において、電子負荷１０２は電圧調整機能を有する。電子負荷１０２は負荷調整命令を受信し、負荷調整命令に基づいて電子負荷１０２の負荷を調整し、テストモジュール１０１は電子負荷１０２の負荷に基づいて電子装置の異なる作動状態を模擬することができ、作動状態と模擬バッテリ電圧値の間に対応関係がある。
【手続補正４】
【補正対象書類名】明細書
【補正対象項目名】００６５
【補正方法】変更
【補正の内容】
【００６５】
いくつかの実施形態において、テストモジュール及び電子負荷によって電子装置の作動状態を模擬して、作動状態に対応する模擬バッテリ電圧値を獲得することは、
電子負荷は負荷調整命令を受信し、負荷調整命令に基づいて電子負荷の負荷を調整し、テストモジュールは電子負荷の負荷に基づいて電子装置の異なる作動状態を模擬し、電子負荷は電圧調整機能を有し、作動状態と模擬バッテリ電圧値の間に対応関係があること、
模擬された作動状態に基づいて、作動状態に対応する模擬バッテリ電圧値を獲得すること、
を含む。
【手続補正５】
【補正対象書類名】特許請求の範囲
【補正対象項目名】全文
【補正方法】変更
【補正の内容】
【特許請求の範囲】
【請求項１】
アダプタテスト装置であって、
テストモジュール、ホストコンピュータ及び電子負荷を含み、
前記テストモジュールは、前記電子負荷に接続されており、電子装置の作動状態を模擬して、前記作動状態に対応する模擬バッテリ電圧値を獲得するために用いられ、
前記テストモジュールは、被テストアダプタに接続されており、前記模擬バッテリ電圧値に基づいて、前記被テストアダプタが目標出力状態にあるように制御するために用いられ、
前記テストモジュールは、前記ホストコンピュータに接続されており、前記被テストアダプタの目標出力状態を検出し、且つ検出された前記被テストアダプタの出力情報を前記ホストコンピュータに送信するために用いられ、
前記ホストコンピュータは、前記被テストアダプタの出力情報に基づいて、前記被テストアダプタのテスト結果を出力するために用いられる、
ことを特徴とするアダプタテスト装置。
【請求項２】
前記電子負荷は電圧調整機能を有し、
前記電子負荷は負荷調整命令を受信し、前記負荷調整命令に基づいて前記電子負荷の負荷を調整し、前記テストモジュールは前記電子負荷の負荷に基づいて前記電子装置の異なる作動状態を模擬し、作動状態と模擬バッテリ電圧値の間に対応関係がある、
ことを特徴とする請求項１に記載のアダプタテスト装置。
【請求項３】
前記テストモジュールは、さらに前記模擬バッテリ電圧値を前記ホストコンピュータに送信するために用いられ、
前記ホストコンピュータは、さらに前記模擬バッテリ電圧値に基づいて制御命令を出力し且つ前記制御命令を前記テストモジュールに送信するために用いられ、
前記テストモジュールは、前記制御命令に基づいて前記被テストアダプタが目標出力状態にあるように制御するために用いられ、前記目標出力状態は定電圧モード及び低電圧保護モードを含む、
ことを特徴とする請求項１に記載のアダプタテスト装置。
【請求項４】
前記テストモジュールは、具体的には、前記模擬バッテリ電圧値が第一プリセット閾値より大きい場合、前記制御命令に基づいて、前記被テストアダプタが定電圧モードにあるように制御するために用いられる、
ことを特徴とする請求項３に記載のアダプタテスト装置。
【請求項５】
前記テストモジュールは、具体的には、前記模擬バッテリ電圧値が第二プリセット閾値より小さい場合、前記制御命令に基づいて、前記被テストアダプタが低電圧保護モードにあるように制御するために用いられる、
ことを特徴とする請求項３に記載のアダプタテスト装置。
【請求項６】
前記被テストアダプタの出力情報は、前記被テストアダプタの出力電圧及び前記被テストアダプタの出力電流を含み、前記目標出力状態は定電圧モード及び低電圧保護モードを含む、
ことを特徴とする請求項１に記載のアダプタテスト装置。
【請求項７】
前記定電圧モードでは、前記被テストアダプタの出力電圧は定格出力電圧範囲内に維持され、前記模擬バッテリ電圧値が増加すると、前記被テストアダプタの出力電流は減少される、
ことを特徴とする請求項６に記載のアダプタテスト装置。
【請求項８】
前記低電圧保護モードでは、前記被テストアダプタは出力を切断して出力電圧を有しないか、又は前記被テストアダプタは出力電圧なしのプリセット期間の後に再び出力電圧を有する、
ことを特徴とする請求項６に記載のアダプタテスト装置。
【請求項９】
前記ホストコンピュータは、具体的には、前記被テストアダプタの出力情報と前記被テストアダプタの目標出力情報を比較し、比較結果に基づいて、前記被テストアダプタのテスト結果を出力するために用いられ、
前記被テストアダプタの目標出力情報と前記被テストアダプタの目標出力状態との間に対応関係が存在する、
ことを特徴とする請求項１に記載のアダプタテスト装置。
【請求項１０】
前記テストモジュールは、テストボードと、前記テストボードに電力を供給する外部電源と、を含む、
ことを特徴とする請求項１〜９のいずれか一項に記載のアダプタテスト装置。
【請求項１１】
テストボードであって、
前記テストボードは、少なくとも金属酸化物半導体電界効果トランジスタ（ＭＯＳＦＥＴ）部材及びマイクロコントローラユニット（ＭＣＵ）部材を含み、
前記テストボードは、電子負荷と協同して、電子装置の作動状態を模擬して、被テストアダプタをテストするために用いられる、
ことを特徴とするテストボード。
【請求項１２】
アダプタテスト方法であって、
前記アダプタテスト方法は、テストモジュール、ホストコンピュータ及び電子負荷を含むアダプタテスト装置に適用可能であり、前記アダプタテスト方法は、
前記テストモジュール及び前記電子負荷によって電子装置の作動状態を模擬して、前記作動状態に対応する模擬バッテリ電圧値を獲得するステップと、
前記模擬バッテリ電圧値に基づいて、前記被テストアダプタが目標出力状態にあるように制御するステップと、
前記被テストアダプタの目標出力状態を検出し、且つ検出された前記被テストアダプタの出力情報を獲得するステップと、
前記被テストアダプタの出力情報に基づいて、前記被テストアダプタのテスト結果を出力するステップと、
を含む、
ことを特徴とするアダプタテスト方法。
【請求項１３】
前記テストモジュール及び前記電子負荷によって電子装置の作動状態を模擬して、前記作動状態に対応する模擬バッテリ電圧値を獲得することは、
前記電子負荷によって負荷調整命令を受信し、前記負荷調整命令に基づいて前記電子負荷の負荷を調整し、前記テストモジュールは前記電子負荷の負荷に基づいて電子装置の異なる作動状態を模擬し、前記電子負荷は電圧調整機能を有し、作動状態と模擬バッテリ電圧値の間に対応関係があること、
模擬された作動状態に基づいて、前記作動状態に対応する模擬バッテリ電圧値を獲得すること、
を含む、
ことを特徴とする請求項１２に記載のアダプタテスト方法。
【請求項１４】
前記模擬バッテリ電圧値に基づいて、前記被テストアダプタが目標出力状態にあるように制御することは、
前記テストモジュールと前記ホストコンピュータの接続を介して、前記テストモジュールは前記模擬バッテリ電圧値を前記ホストコンピュータに送信すること、
前記ホストコンピュータは前記模擬バッテリ電圧値に基づいて制御命令を出力すること、
前記制御命令に基づいて前記被テストアダプタが目標出力状態にあるように制御すること、
を含み、前記目標出力状態は定電圧モード及び低電圧保護モードを含む、
ことを特徴とする請求項１２に記載のアダプタテスト方法。
【請求項１５】
前記制御命令に基づいて前記被テストアダプタが目標出力状態にあるように制御することは、
前記模擬バッテリ電圧値が第一プリセット閾値より大きい場合、前記制御命令に基づいて、前記被テストアダプタが定電圧モードにあるように制御すること、を含む、
ことを特徴とする請求項１４に記載のアダプタテスト方法。
【請求項１６】
前記制御命令に基づいて前記被テストアダプタが目標出力状態にあるように制御することは、
前記模擬バッテリ電圧値が第二プリセット閾値より小さい場合、前記制御命令に基づいて、前記被テストアダプタが低電圧保護モードにあるように制御すること、を含む、
ことを特徴とする請求項１４に記載のアダプタテスト方法。
【請求項１７】
前記被テストアダプタの出力情報は、前記被テストアダプタの出力電圧及び前記被テストアダプタの出力電流を含む、
ことを特徴とする請求項１２に記載のアダプタテスト方法。
【請求項１８】
前記制御命令に基づいて前記被テストアダプタが目標出力状態にあるように制御することは、
前記模擬バッテリ電圧値が第一プリセット閾値より大きい場合、前記制御命令に基づいて、前記被テストアダプタの出力電圧が定格出力電圧範囲内に維持されるように制御し、且つ前記模擬バッテリ電圧値が上昇すると、前記被テストアダプタの出力電流は減少されること、を含む、
ことを特徴とする請求項１７に記載のアダプタテスト方法。
【請求項１９】
前記制御命令に基づいて前記被テストアダプタが目標出力状態にあるように制御することは、
前記模擬バッテリ電圧値が第二プリセット閾値より小さい場合、前記制御命令に基づいて前記被テストアダプタが出力をオフして出力電圧を有しないように制御するか、又は前記制御命令に基づいて前記被テストアダプタが出力電圧なしのプリセット期間の後に再び出力電圧を有するように制御すること、を含む、
ことを特徴とする請求項１７に記載のアダプタテスト方法。
【請求項２０】
前記被テストアダプタの出力情報に基づいて、前記被テストアダプタのテスト結果を出力することは、
前記被テストアダプタの出力情報と前記被テストアダプタの目標出力情報を比較すること、
比較結果に基づいて、前記被テストアダプタのテスト結果を出力すること、
を含み、前記被テストアダプタの目標出力情報と前記被テストアダプタの目標出力状態との間に対応関係が存在する、
ことを特徴とする請求項１２に記載のアダプタテスト方法。
【国際調査報告】
2021529320.tif 000008
2021529320.tif 000009
2021529320.tif 000010
2021529320.tif 000011